(57)【要約】【課題】ケーブルと基板との電気的接続を行うに際して、より構成を簡素化する。【解決手段】コネクタ２０は、ケーブル側接点３２と基板側接点１２とに接触する導電性及び可撓性を有する１以上のコンタクト２３によりＦＰＣ３０と基板１０とを電気的に接続する所定位置において、ＦＰＣ３０に設けられた貫通孔３４と係合する位置決めピン２５や位置決めガイドにより位置決めし、ＦＰＣ３０が位置決めされた状態で、ＦＰＣ３０とコンタクト２３と基板１０とを押圧してこのＦＰＣ３０を固定部材２６により固定する。ここでは、可撓性を有するコンタクト２３がＦＰＣ３０の接点と基板１０上の接点と接触した状態で固定部材が押圧してこれらを電気的に接続することが可能である。また、ＦＰＣ３０に形成された貫通孔３４を用いて位置決めピン２５により位置決めすることが可能である。【選択図】図２
2010161068.tif 000002
【特許請求の範囲】
【請求項１】
回路配線用のケーブルを接続するケーブル接続用コネクタであって、
基板上に形成された接点と接触する端部とケーブルに形成された接点に接触する接触部とが形成され導電性及び可撓性を有する１以上の接触部材と、
前記ケーブルに設けられた所定形状と係合することにより、前記ケーブルに形成された接点と前記基板上に形成された接点とに前記接触部材が接触する所定位置で該ケーブルを位置決めする位置決め部と、
前記位置決め部により前記ケーブルが前記所定位置で位置決めされた状態で、前記ケーブルと前記接触部材と前記基板とを押圧して該ケーブルを固定する固定部材と、
を備えたケーブル接続用コネクタ。
【請求項２】
前記位置決め部は、前記ケーブルに設けられた貫通孔に挿入されて該ケーブルの位置決めを行う位置決めピンを１以上含んでいる、請求項１に記載のケーブル接続用コネクタ。
【請求項３】
前記位置決め部は、前記ケーブルの両端と当接して該ケーブルの位置決めを行う位置決めガイドを含んでいる、請求項２に記載のケーブル接続用コネクタ。
【請求項４】
前記接触部材は、一端側が前記基板に固定されている本体部材に固定された固定端であり、他端側が前記基板上に形成された接点と接触する自由端であり、該固定端と該自由端との間に前記接触部が形成されている平バネである、請求項１〜３のいずれか１項に記載のケーブル接続用コネクタ。
【請求項５】
前記接触部材は、前記ケーブルと前記基板との間に位置するよう配設されており、一面側が前記基板に形成された接点に接触する面であり、他面側が前記ケーブルに形成された接点に接触する面であり、
前記固定部材は、該ケーブルと該接触部材とを前記ケーブル側から押圧して該ケーブルを固定する、請求項１〜４のいずれか１項に記載のケーブル接続用コネクタ。
【請求項６】
前記接触部材は、前記基板に固定されている本体部材に固定端側で配設され、前記ケーブルと前記基板との間に位置しており、該固定端からケーブルに形成された接点側を介し前記基板上に形成された接点側へ屈曲して形成されているか、又は該固定端から基板上に形成された接点側を介し前記ケーブルに形成された接点側へ屈曲して形成されている、請求項１〜５のいずれか１項に記載のケーブル接続用コネクタ。
【請求項７】
前記固定部材は、前記ケーブルの固定を開放可能な開放位置と、前記接触部材と前記ケーブル及び基板に形成された接点とが接触するよう該ケーブルを固定する固定位置と、に回動可能に前記基板に固定されている本体部材に軸支されている、請求項１〜６のいずれか１項に記載のケーブル接続用コネクタ。
【請求項８】
前記接触部材は、前記基板に配設可能な本体部材に固定端側で配設され、
前記固定部材は、前記ケーブルに形成された接点と前記接触部材とが接触する位置で前記ケーブルと前記本体部材とを一体化可能であり、
前記位置決め部は、前記固定部材と前記ケーブルと前記本体部材とを一体化した一体構造を前記基板へ配設して該固定部材により固定すると、前記ケーブルに形成された接点と前記基板上に形成された接点とに前記接触部材が接触する所定位置で該ケーブルを位置決めする、請求項１〜７のいずれか１項に記載のケーブル接続用コネクタ。
【請求項９】
前記固定部材は、前記基板に設けられた被係止部に係止する係止部材が設けられているか、又は、前記基板に設けられた係止部材に係止する被係止部が設けられており、該係止部材及び該被係止部によって前記ケーブルと前記接触部材と前記基板とを押圧して該ケーブルを固定する、請求項１〜８のいずれか１項に記載のケーブル接続用コネクタ。
【請求項１０】
前記固定部材は、前記位置決め部によって位置決めされた前記ケーブルと前記接触部材と前記基板とを挟み込むことによって前記ケーブルと前記接触部材と前記基板とを押圧して該ケーブルを固定するクリップ部材を含む、請求項１〜９のいずれか１項に記載のケーブル接続用コネクタ。
【発明の詳細な説明】
【技術分野】
【０００１】
本発明は、ケーブル接続用コネクタに関する。
【背景技術】
【０００２】
従来、ケーブル接続用コネクタとしては、回路配線用のフレキシブルプリント基板（ＦＰＣとも称する）の先端に補強板を配設し、この補強板に突起や切欠などを設け、この補強板ごとコネクタに挿入すると電気的接続が行われると共にＦＰＣが位置決めされるものが提案されている（例えば、特許文献１〜５参照）。このコネクタでは、補強板によりＦＰＣの先端部の強度を高め、ＦＰＣの位置決めを行うと共にＦＰＣの抜けを抑制することがことができる。
【先行技術文献】
【特許文献】
【０００３】
【特許文献１】特開平３−１２５４９３号公報
【特許文献２】特開２００２−３６７７３０号公報
【特許文献３】特開２００６−８５９２８号公報
【特許文献４】特開２００７−１７９７６号公報
【特許文献５】特開２００７−２３４５３０号公報
【発明の概要】
【発明が解決しようとする課題】
【０００４】
しかしながら、この特許文献１〜５に記載されたケーブル接続用コネクタでは、ＦＰＣに補強板を設けることにより、ＦＰＣの補強・位置決め・抜け防止を行っているが、補強板は、比較的大きな面積を占めることがあり、構成が煩雑化してしまう問題があった。また、このようなコネクタは、一般的に、コネクタ内の端子と基板側の配線とを半田付けにより電気的に接続させることがある。近年、コンパクト化を図るため、コネクタの単位幅に対する端子数も増加しており（いわゆる狭ピッチ化）、このようなコネクタと基板との電気的接続も煩雑である問題があった。
【０００５】
本発明は、このような課題に鑑みなされたものであり、構成をより簡易化することができるケーブル接続用コネクタを提供することを主目的とする。
【課題を解決するための手段】
【０００６】
本発明は、上述の目的を達成するために以下の手段を採った。
【０００７】
即ち、本発明のケーブル接続用コネクタは、
回路配線用のケーブルを接続するケーブル接続用コネクタであって、
基板上に形成された接点と接触する端部とケーブルに形成された接点に接触する接触部とが形成され導電性及び可撓性を有する１以上の接触部材と、
前記ケーブルに設けられた所定形状と係合することにより、前記ケーブルに形成された接点と前記基板上に形成された接点とに前記接触部材が接触する所定位置で該ケーブルを位置決めする位置決め部と、
前記位置決め部により前記ケーブルが前記所定位置で位置決めされた状態で、前記ケーブルと前記接触部材と前記基板とを押圧して該ケーブルを固定する固定部材と、
を備えたものである。
【０００８】
このケーブル接続用コネクタは、ケーブルに形成された接点と基板上に形成された接点とに接触する導電性及び可撓性を有する１以上の接触部材によりケーブルと基板とを電気的に接続する所定位置において、ケーブルに設けられた所定形状と係合する位置決め部によりケーブルが位置決めされた状態で、ケーブルと接触部材と基板とを押圧してこのケーブルを固定部材により固定する。ここでは、可撓性を有する接続部材がケーブルの接点と基板上の接点と接触した状態で固定部材が押圧することによりこれらを電気的に接続することが可能である。また、ケーブルに形成された所定形状を用いて位置決め部により位置決めすることが可能である。このように、例えば強度を付与すると共に位置決めを行う補強板をケーブルに設けることをせずともケーブルと基板とを電気的に接続することが可能である。したがって、ケーブルと基板との電気的接続を行うに際して、より構成を簡素化することができる。
【０００９】
本発明のケーブル接続用コネクタにおいて、前記位置決め部は、前記ケーブルに設けられた貫通孔に挿入されて該ケーブルの位置決めを行う位置決めピンを１以上含んでいるものとしてもよい。こうすれば、位置決めピンによってより簡単な構造で位置決めをすることができる。ここで、位置決めピンは、１つあれば例えばケーブルの水平方向の移動を防止でき、２つあれば水平方向の移動に加えピンを中心としたケーブルの回動をも防止することができ、より好ましい。このとき、前記位置決め部は、前記ケーブルの両端と当接して該ケーブルの位置決めを行う位置決めガイドを含んでいるものとしてもよい。こうすれば、ケーブルが回動するのを防止可能であり、より確実にケーブルの位置決めを行うことができる。
【００１０】
本発明のケーブル接続用コネクタにおいて、前記接触部材は、一端側が前記基板に固定されている本体部材に固定された固定端であり、他端側が前記基板上に形成された接点と接触する自由端であり、該固定端と該自由端との間に前記接触部が形成されている平バネであるものとしてもよい。こうすれば、平バネによる比較的簡易な構成によって基板とケーブルとを電気的に接続することができる。また、平バネにより基板とケーブルとを直接的に接続するため、例えばコネクタと基板とを半田付けして電気的接続を行う必要が無く、より構成を簡素化することができる。
【００１１】
本発明のケーブル接続用コネクタにおいて、前記接触部材は、前記ケーブルと前記基板との間に位置するよう配設されており、一面側が前記基板に形成された接点に接触する面であり、他面側が前記ケーブルに形成された接点に接触する面であり、前記固定部材は、該ケーブルと該接触部材とを前記ケーブル側から押圧して該ケーブルを固定するものとしてもよい。こうすれば、ケーブル側から押圧することにより、ケーブルと接続部材と基板とを比較的容易に接続することができる。
【００１２】
本発明のケーブル接続用コネクタにおいて、前記接触部材は、前記基板に固定されている本体部材に固定端側で配設され、前記ケーブルと前記基板との間に位置しており、該固定端からケーブルに形成された接点側を介し前記基板上に形成された接点側へ屈曲して形成されているか、又は該固定端から基板上に形成された接点側を介し前記ケーブルに形成された接点側へ屈曲して形成されているものとしてもよい。こうすれば、比較的簡素な形状でケーブルと基板の接点とを導通することができる。
【００１３】
本発明のケーブル接続用コネクタにおいて、前記固定部材は、前記ケーブルの固定を開放可能な開放位置と、前記接触部材と前記ケーブル及び基板に形成された接点とが接触するよう該ケーブルを固定する固定位置と、に回動可能に前記基板に固定されている本体部材に軸支されているものとしてもよい。こうすれば、固定部材を開放位置にした状態で、ケーブルを位置決めし、固定部材を固定位置にしてケーブルが基板と電気的に接触した状態で固定されるため、比較的容易にケーブルを固定することができる。
【００１４】
本発明のケーブル接続用コネクタにおいて、前記接触部材は、前記基板に配設可能な本体部材に固定端側で配設され、前記固定部材は、前記ケーブルに形成された接点と前記接触部材とが接触する位置で前記ケーブルと前記本体部材とを一体化可能であり、前記位置決め部は、前記固定部材と前記ケーブルと前記本体部材とを一体化した一体構造を前記基板へ配設して該固定部材により固定すると、前記ケーブルに形成された接点と前記基板上に形成された接点とに前記接触部材が接触する所定位置で該ケーブルを位置決めするものとしてもよい。こうすれば、固定部材とケーブルと本体部材とを一体化した一体構造を基板に配設すればよいため、より構成を簡素化することができると共に、より容易にケーブルを固定することができる。ここで、「一体化」とは、完全に固定されて一体化されたもののほか、固定されない状態で一体化されたものも含む。
【００１５】
本発明のケーブル接続用コネクタにおいて、前記固定部材は、前記基板に設けられた被係止部に係止する係止部材が設けられているか、又は、前記基板に設けられた係止部材に係止する被係止部が設けられており、該係止部材及び該被係止部によって前記ケーブルと前記接触部材と前記基板とを押圧して該ケーブルを固定するものとしてもよい。こうすれば、係止部材と被係止部とを用いることにより、より構成を簡素化することができると共に、より容易にケーブルを固定することができる。ここで、係止部材と被係止部とは、例えば、引掛部を有する係止爪と該係止爪を挿入し開口縁に引掛部を引っ掛ける係止孔としてもよい。
【００１６】
本発明のケーブル接続用コネクタにおいて、前記固定部材は、前記位置決め部によって位置決めされた前記ケーブルと前記接触部材と前記基板とを挟み込むことによって前記ケーブルと前記接触部材と前記基板とを押圧して該ケーブルを固定するクリップ部材を含むものとしてもよい。ここで、前記クリップ部材は、前記固定部材と一体であってもよいし、別体であってもよい。
【図面の簡単な説明】
【００１７】
【図１】コネクタ２０の構成の概略を示す構成図。
【図２】図１のＡ−Ａ断面図。
【図３】図１のＢ−Ｂ断面図。
【図４】固定部材２６が開放位置にあるコネクタ２０の説明図
【図５】固定部材２６を固定位置に回動させる際の説明図
【図６】コネクタ１２０の説明図。
【図７】コネクタ２２０の説明図。
【図８】コネクタ３２０の説明図。
【図９】コネクタ４２０の説明図。
【図１０】コネクタ５２０の説明図。
【図１１】側面側の断面でのコネクタ６２０の説明図。
【図１２】ＦＰＣ３０の直交方向の断面でのコネクタ６２０の説明図。
【図１３】コネクタ６２０Ｂの説明図。
【図１４】コネクタ７２０の説明図。
【図１５】コネクタ７２０Ｂの説明図。
【図１６】コネクタ７２０Ｃの説明図。
【発明を実施するための形態】
【００１８】
次に、本発明を実施するための形態を図面を用いて説明する。図１は、本発明の一実施形態であるコネクタ２０の構成の概略を示す構成図であり、図２は、図１のＡ−Ａ断面図であり、図３は、図１のＢ−Ｂ断面図である。本実施形態のコネクタ２０は、可撓性を有する回路配線としてのフレキシブルプリント基板（ＦＰＣ）３０を接続する接続器具として構成されており、基板１０に固定される本体部材２１と、ＦＰＣ３０に形成されたケーブル側接点３２と基板１０に形成された基板側接点１２とを電気的に接続するコンタクト２３と、ＦＰＣ３０を所定位置で位置決めする位置決めガイド２４及び位置決めピン２５と、ＦＰＣ３０を押圧することによりＦＰＣ３０とコンタクト２３と基板側接点１２とを接続した状態で固定する固定部材２６とを備えている。なお、説明の便宜のため、図１〜３にコネクタ２０の上・下・左・右・前・後の方向を示し、これを用いて以下説明する。
【００１９】
基板１０は、図示しない電子回路が設けられた回路基板であり、その表面には電子回路に電気的に接続されている複数の基板側接点１２が配設されている。この基板１０には、ＦＰＣ３０からの電気信号を基板側接点１２へ受け渡すコネクタ２０がその表面に固定されている。また、この基板１０には、後述する係止爪２９が挿入される矩形状の孔である複数の係止孔１４が穿設されている。ＦＰＣ３０は、扁平状のケーブルであり、電子機器における種々の信号を伝達するケーブルとして構成されている。このＦＰＣ３０は、先端側の下面にはＦＰＣ３０の接続元に接続されているケーブル側接点３２が複数配設され、先端側の中央には、上下に貫通した円形の貫通孔３４が穿設されている。
【００２０】
本体部材２１は、底面が矩形状のコネクタ２０の基部をなす部材であり、コネクタ２０の前側（図１における左側）にＦＰＣ３０が当接する立壁部２１ａが立設されており、後側（図１における右側）にコンタクト基部２２が設けられている。立壁部２１ａの上側には回動軸２７が設けられており、この回動軸２７により固定部材２６が回動可能に軸支されている。コンタクト基部２２は、絶縁性の部材であり、コネクタ２０の左右に亘って設けられておりコネクタ２０の後側に向かって複数のコンタクト２３が配設されている。本体部材２１の左右端部には、コネクタ２０の前後に亘ってＦＰＣ３０をガイドする位置決めガイド２４，２４が形成されている。この本体部材２１の中央には、円柱形状の位置決めピン２５が配設されている。この本体部材２１では、コンタクト基部２２、位置決めピン２５及び立壁部２１ａなどの複数の部材が一体として形成されている。
【００２１】
コンタクト２３は、導電性及び可撓性を有する接続子としての平バネである。このコンタクト２３は、一端側である固定端２３ａが本体部材２１に固定されており、他端側である自由端２３ｂが基板側接点１２と接触し、固定端２３ａと自由端２３ｂとの間にケーブル側接点３２に接触する接触部２３ｃが形成されている。また、コンタクト２３は、本体部材２１に形成されたコンタクト基部２２に配設され、ＦＰＣ３０と基板１０との間に位置しており、固定端２３ａからケーブル側接点３２を介し基板側接点１２へ向かって屈曲した波形状に形成されている。このコンタクト２３では、下面側が基板側接点１２に接触する面であり、上面側がケーブル側接点３２に接触する面となっている。
【００２２】
位置決めガイド２４及び位置決めピン２５は、ＦＰＣ３０に形成された側面や貫通孔３４と係合することによりＦＰＣ３０を基板側接点１２と電気的に接続する位置で位置決めする部材である。位置決めガイド２４は、コネクタ２０の側面側に形成されており、ＦＰＣ３０の両端の側面と当接してＦＰＣ３０の左右方向への移動を規制する側面ガイド２４ａと、ＦＰＣ３０を載置する下面ガイド２４ｂとにより構成されている（図３参照）。位置決めピン２５は、ＦＰＣ３０の貫通孔３４に差し込まれる、本体部材２１から立設した円柱体である。この位置決めガイド２４と位置決めピン２５によって、ＦＰＣ３０が位置決めされ、ずれて固定されたり、抜けてしまったりするのを抑制することができる。
【００２３】
固定部材２６は、本体部材２１を上方から覆う蓋状の部材であり、ＦＰＣ３０の固定を開放可能な開放位置と（後述図４参照）、コンタクト２３と基板側接点１２及びケーブル側接点３２とが接触するようＦＰＣ３０を固定する固定位置と（図２参照）、に回動可能に回動軸２７により立壁部２１ａに軸支されている。この固定部材２６は、基板１０の基板側接点１２にコンタクト２３が接触し、且つコンタクト２３にＦＰＣ３０のケーブル側接点３２が載置されて接触した状態でＦＰＣ３０側から基板１０側へ押圧してＦＰＣ３０を固定する。この固定部材２６の中央付近には、複数の接触部２３ｃの上方に矩形状の押さえ部２８がコネクタ２０の左右に渡って設けられており（図３参照）、固定部材２６が固定位置に固定されるとケーブル側接点３２の上方から押さえ部２８によりＦＰＣ３０が押圧される。固定部材２６の後側の下部には可撓性を有する鍵爪状の引掛部を有する係止爪２９が設けられており、係止孔１４に挿入されてこの係止爪２９の引掛部が係止孔１４の開口縁に引っ掛かることにより固定部材２６を固定位置で固定可能になっている。
【００２４】
次に、このコネクタ２０にＦＰＣ３０を固定する際の動作について説明する。図４は、固定部材２６が開放位置にあるコネクタ２０の説明図であり、図５は、固定部材２６を固定位置に回動させる際の説明図である。まず、基板１０上に固定されているコネクタ２０の固定部材２６を回動軸２７を中心として開放位置に回動させ（図４上段）、位置決めピン２５に貫通孔３４を挿入すると共に、位置決めガイド２４の側面ガイド２４ａにＦＰＣ３０の側面が当接するように下面ガイド２４ｂ上にＦＰＣ３０を載置する（図４下段）。すると、位置決めピン２５によりＦＰＣ３０の前後方向への移動が規制され、位置決めガイド２４により位置決めピン２５を中心としたＦＰＣ３０の回動が規制され、接触部２３ｃがケーブル側接点３２に接触した状態でＦＰＣ３０が位置決めされる。続いて、固定部材２６を基板１０側に回動させると（図５上段）、押さえ部２８がＦＰＣ３０に当接し、そのまま回動を続けると、固定部材２６は、ＦＰＣ３０の上側からＦＰＣ３０とコンタクト２３とを押圧し、押圧されたコンタクト２３が基板側接点１２に押しつけられる。そして、係止爪２９が係止孔１４を通過して係止すると、固定部材２６が、ＦＰＣ３０とコンタクト２３と基板１０とを押圧した状態で固定位置で固定され、ケーブル側接点３２と基板側接点１２とがコンタクト２３を介して電気的に接続する（図５下段）。
【００２５】
ここで、本実施形態の構成要素と本発明の構成要素との対応関係を明らかにする。本実施形態のＦＰＣ３０が本発明のケーブルに相当し、基板側接点１２が本発明の基板上に形成された接点に相当し、ケーブル側接点３２が本発明のケーブルに形成された接点に相当し、コンタクト２３が本発明の接触部材に相当し、位置決めガイド２４及び位置決めピン２５が位置決め部に相当し、固定部材２６及び係止爪２９が固定部材に相当する。
【００２６】
以上詳述した本実施形態のコネクタ２０によれば、ケーブル側接点３２と基板側接点１２とに接触する導電性及び可撓性を有する１以上のコンタクト２３によりＦＰＣ３０と基板１０とを電気的に接続する所定位置において、ＦＰＣ３０に設けられた貫通孔３４などと係合する位置決めピン２５や位置決めガイド２４により位置決めし、ＦＰＣ３０が位置決めされた状態で、ＦＰＣ３０とコンタクト２３と基板１０とを押圧してこのＦＰＣ３０を固定部材２６により固定する。ここでは、可撓性を有するコンタクト２３がＦＰＣ３０の接点と基板１０上の接点と接触した状態で固定部材が押圧してこれらを電気的に接続することが可能である。また、ＦＰＣ３０に形成された貫通孔３４を用いて位置決めピン２５により位置決めすることが可能である。このように、例えば強度を付与すると共に位置決めを行う補強板などをＦＰＣ３０に設けることをせずともＦＰＣ３０と基板１０とを電気的に接続することが可能である。したがって、ＦＰＣ３０と基板１０との電気的接続を行うに際して、より構成を簡素化することができる。また、位置決めピン２５や位置決めガイド２４など、例えばＦＰＣ３０の先端に補強及び位置決めのために設ける補強板より簡単な構造で位置決めをすることができる。更に、コンタクト２３の平バネによる比較的簡易な構成によって基板１０とＦＰＣ３０とを電気的に接続することができる。また、コンタクト２３により基板１０とＦＰＣ３０とを直接的に接続するため、例えばコネクタと基板１０とを半田付けして電気的接続を行う必要が無く、より構成を簡素化することができる。更にまた、ＦＰＣ３０側から押圧することにより、ＦＰＣ３０とコンタクト２３と基板１０とを比較的容易に接続することができる。そして、コンタクト２３がケーブル側接点３２を介して基板側接点１２側へ屈曲して形成されており、比較的簡素な形状でＦＰＣ３０と基板１０の接点とを導通することができる。そしてまた、固定部材２６を開放位置にした状態で、ＦＰＣ３０を位置決めし、固定部材を固定位置にしてＦＰＣ３０が基板１０と電気的に接触した状態で固定されるため、比較的容易にＦＰＣ３０を固定することができる。
【００２７】
また、本発明のコネクタ２０では、位置決めガイド２４や位置決めピン２５によりコネクタ２０の内部で位置決めを行うため、例えばコネクタ２０の外部でディバイダで位置決めしてＦＰＣを固定するものなどに比して、ＦＰＣ３０の横方向の位置など視認性がよく、ＦＰＣ３０を取り付けやすい。また、平バネのコンタクト２３を用いているため、低荷重でケーブル側接点３２と基板側接点１２とを電気的に接続することができる。また、平バネのコンタクト２３を用いているため、低背なコンタクト２３とすることが可能であり、ＦＰＣ３０の挿入時のこすれや引っかかりを抑制してコネクタ２０（コンタクト２３）の破損をより抑制することができる。更にまた、ケーブル側接点３２と基板側接点１２との距離を比較的短くすることが可能であり、抵抗をより低くすることができる。更にまた、基板１０に基板側接点１２を形成しておけば、コネクタ２０の電気的な接続（例えば半田付け）を省略可能であり、構成を簡略化させると共に、コネクタ２０の取り付けがより容易である。そして、ＦＰＣ３０を補強する補強板を省略可能であるので、狭ピッチ化にも対応可能である。
【００２８】
なお、本発明は上述した実施形態に何ら限定されることはなく、本発明の技術的範囲に属する限り種々の態様で実施し得ることはいうまでもない。なお、以下では、説明の便宜のため、上記実施形態と同様の構成については、上記実施形態と同じ符号を付し、その説明を省略する。
【００２９】
例えば、上述した実施形態では、位置決めピン２５が１つ形成されたコネクタ２０としたが、図６に示すように、ＦＰＣ３０に設けられた第２貫通孔１３４に挿入される第２位置決めピン１２５を更に備えているコネクタ１２０としてもよい。図６は、コネクタ１２０の説明図である。こうすれば、複数の位置決めピンにより、ＦＰＣ３０をより確実に位置決めすることができる。なお、位置決めピンは、１以上であればいくつ備えるものとしてもよいが、２以下であることが構成の簡素化の面からは好ましい。
【００３０】
上述した実施形態では、係止爪２９が係止孔１４に挿入されて固定部材２６が固定されるものとしたが、特にこれに限られず、図７に示すように、固定部材２６に形成された押圧部２２９と本体部材２１に形成された押圧部２２２とによりＦＰＣ３０を挟み込み、押圧部２２９及び押圧部２２２とＦＰＣ３０との摩擦抵抗で固定部材２６を固定するコネクタ２２０としてもよい。図７は、コネクタ２２０の説明図である。こうしても、比較的簡素な構造でケーブル側接点３２と基板側接点１２とを電気的に接続することができる。あるいは、図８に示すように、固定部材２６の先端に回動可能な止め部材３２９を設け、基板１０に形成した係止孔３１４にこの止め部材３２９の先端を嵌め込むことにより固定部材２６を固定するものとしてもよい。図８は、コネクタ３２０の説明図である。こうしても、固定部材２６を固定することができる。
【００３１】
上述した実施形態では、位置決めピン２５を貫通孔３４に挿入してＦＰＣ３０を位置決めするものとしたが、ＦＰＣ３０に形成された所定形状と係合することによりＦＰＣ３０を所定位置で固定するものとすれば、特にこれに限られず、例えば、図９に示すように、ＦＰＣ４３０の左右端に所定形状としての切欠部４３４，４３４を設け、本体部材２１の左右端に凸状部４２５，４２５を設け、切欠部４３４，４３４と凸状部４２５，４２５とを係合させることによりＦＰＣ４３０を位置決めするコネクタ４２０としてもよい。こうしても、例えばＦＰＣの先端に補強及び位置決めのために設ける補強板より小さな構成、即ち比較的簡単な構成でＦＰＣの位置決めを行うことができる。
【００３２】
上述した実施形態では、固定端２３ａからケーブル側接点３２側を介して基板側接点１２側へ屈曲したコンタクト２３を用いるものとしたが、例えば、固定端２３ａから基板側接点１２側を介してケーブル側接点３２側へ屈曲したコンタクトを用いるものとしてもよい。この場合、基板側接点がケーブル側接点よりもコンタクト基部側に設けられているものとなる。
【００３３】
上述した実施形態では、コンタクト基部２２が本体部材２１に形成されているものとしたが、図１０に示すように、固定部材２６を配設した本体部材２１と、コンタクト２３を配設したコンタクト基部２２とを別体で形成し、基板１０にそれぞれ固定するコネクタ５２０としてもよい。即ち、本体部材が２個以上あるものとしてもよい。図１０は、コネクタ５２０の説明図である。
【００３４】
上述した実施形態では、位置決めピン２５が本体部材２１に固定されているものとしたが、基板１０に固定されているものとしてもよい（図１０参照）。また、ＦＰＣ３０は、立壁部２１ａとは逆側の後側からセットされるものとしたが、立壁部２１ａ側から挿入するものとしてもよい。この場合、立壁部２１ａには、ＦＰＣ３０を挿入可能な挿入口が設けられているものとする。
【００３５】
上述した実施形態では、固定部材２６は、コンタクト２３が配設されている本体部材２１に回動軸２７により軸支されているものとしたが、図１１、１２に示すように、固定部材２６と本体部材２１とを別体とし、固定部材２６によりＦＰＣ３０と本体部材２１とを一体として基板１０に取り付け可能なものとしてもよい。図１１は、側面側の断面でのコネクタ６２０の説明図であり、図１２は、ＦＰＣ３０の直交方向の断面でのコネクタ６２０の説明図である。このコネクタ６２０において、コンタクト２３は、基板１０に配設可能な本体部材２１に固定端２３ａ側で配設されている。また、位置決めピン２５は、基板１０側に向かって固定部材２６に立設されている。本体部材２１は、固定部材２６とは別体として形成されており、位置決めピン２５が挿入される貫通孔２１ｂが形成されている。基板１０には、本体部材２１を介して突出された位置決めピン２５を挿入する挿入孔１５が設けられている。固定部材２６は、ＦＰＣ３０に形成されたケーブル側接点３２とコンタクト２３とが接触する位置でＦＰＣ３０と本体部材２１とを一体化可能である。ここで、「一体化」とは、完全に固定されて一体化されたもののほか、固定されない状態で一体化されたものも含む。また、この固定部材２６では、図１２に示すように、固定部材２６の内側の側面２６ａがＦＰＣ３０の側面と当接して位置決めガイド（側面ガイド）の機能を有するものとした。なお、コネクタ２０と同様に、本体部材２１から立設した位置決めガイドによりＦＰＣ３０を位置決めするものとしてもよい（図３のコンタクト基部２２参照）。このコネクタ６２０では、図１１中段に示すように、固定部材２６に形成されている位置決めピン２５をＦＰＣ３０の貫通孔３４及び本体部材２１の貫通孔２１ｂに挿入すると、ＦＰＣ３０に形成されたケーブル側接点３２とコンタクト２３とが接触する位置でＦＰＣ３０と本体部材２１と固定部材２６とが一体化される。そして、固定部材２６の４隅に形成された係止爪２９を基板１０に４カ所形成されている係止孔１４に挿入して固定すると、位置決めピン２５の先端が挿入孔１５に挿入され、ケーブル側接点３２と基板側接点１２とにコンタクト２３が接触する位置でＦＰＣ３０が位置決めされる。こうすれば、固定部材２６とＦＰＣ３０と本体部材２１とを一体化した一体構造を基板１０に配設すればよいため、より構成を簡素化することができると共に、より容易にケーブルを固定することができる。なお、このコネクタ６２０において、基板１０に挿入孔１５を形成するものとしたが、これを省略してもよい。こうしても、本体部材２１のコンタクト２３とＦＰＣ３０とが位置決めピン２５により位置決めされた状態で固定部材２６と共に一体構造となり、コンタクト２３と基板側接点１２とが位置決めされた状態で固定部材２６によってこの一体構造を基板１０に固定するため、ＦＰＣ３０の位置決めを行うことができる。
【００３６】
また、図１１，１２のコネクタ６２０において、位置決めピン２５を固定部材２６に配設するものとしたが、図１３に示すように、位置決めピン２５を基板１０側に配設したコネクタ６２０Ｂとしてもよい。図１３は、コネクタ６２０Ｂの説明図である。このとき、位置決めピン２５の先端を挿入する挿入孔２６ｂを固定部材２６側に形成するものとしてもよい。このコネクタ２０では、基板１０から立設された位置決めピン２５に、本体部材２１の貫通孔２１ｂ及びＦＰＣ３０の貫通孔３４を挿入し固定部材２６を基板１０に固定すると、コンタクト２３と基板側接点１２及びケーブル側接点３２とが接触する位置でＦＰＣ３０を位置決めして固定する。こうしても、例えば強度を付与すると共に位置決めを行う補強板をＦＰＣ３０に設けることをせずともＦＰＣ３０と基板１０とを電気的に接続可能であり、ＦＰＣ３０と基板１０との電気的接続を行うに際して、より構成を簡素化することができる。また、コネクタ６２０では、位置決めピン２５によりＦＰＣ３０の位置決め及び本体部材２１とＦＰＣ３０と固定部材２６との一体化を行うものとしたが、ＦＰＣ３０の位置決めを位置決めピンにより行い、本体部材２１とＦＰＣ３０と固定部材２６との一体化を別部材（例えば一体化用ピンなど）で行うものとしてもよい。なお、構成の簡略化を考慮すると、位置決め及び一体化を１つの部材で行うことが好ましい。
【００３７】
上述した実施形態では、固定部材２６には基板１０に設けられた係止孔１４（被係止部）に係止する係止爪２９（係止部材）が設けられており、この係止爪２９によりＦＰＣ３０や固定部材２６を固定するものとしたが、特にこれに限られず、基板に設けられた係止爪（係止部材）に係止する係止孔（被係止部）が固定部材に設けられており、係止爪及び係止孔によってＦＰＣ３０とコンタクト２３と基板１０とを押圧してＦＰＣ３０を固定するものとしてもよい。こうすれば、係止部材と被係止部とを用いることにより、より構成を簡素化することができると共に、より容易にケーブルを固定することができる。
【００３８】
上述した実施形態では、固定部材２６に配設された係止爪２９と、基板１０に形成された係止孔１４とにより固定部材２６を基板１０へ固定するものとしたが、特にこれに限られない。例えば、図１４に示すように、ＦＰＣ３０とコンタクト２３と基板１０とを位置決めした状態で挟み込むことによってＦＰＣ３０とコンタクト２３と基板１０とを押圧してＦＰＣ３０を固定するクリップ部材３６を用いてもよい。図１４は、コネクタ７２０の説明図である。このコネクタ７２０では、クリップ部材３６は、側面側の断面形状が略Ｃ字状に形成されたクリップであり、その先端３７，３７が互いに向かって（内側に）傾斜して形成されている。固定部材２６の上面には、クリップ部材３６の先端３７がはまる装着溝２６ｃが設けられている。また、基板１０の下面には、クリップ部材３６の先端３７がはまる装着溝１６が設けられている。そして、図１１と同様に、ＦＰＣ３０と本体部材２１と固定部材２６とを一体化させた一体構造を基板１０と一体化させ、基板側接点１２及びケーブル側接点３２とコンタクト２３とが接触する位置で位置決めした状態で、クリップ部材３６で挟み込んで固定しコネクタ７２０とする。こうしても、ＦＰＣ３０を位置決めした状態で固定することができる。
【００３９】
また、図１４のコネクタ７２０において、クリップ部材３６を固定部材２６とは別体としたが、図１５に示すように、クリップ部３６Ｂが一体となっている固定部材２６を備えたコネクタ７２０Ｂとしてもよい。図１５は、コネクタ７２０Ｂの説明図である。こうしても、固定部材２６と共にＦＰＣ３０を位置決めした状態で固定することができる。また、クリップ部材を備えたコネクタ２０において、図１６に示すように、ＦＰＣ３０の位置決めガイドとする側面３６ａを備えたクリップ部材３６Ｃとしてもよい。図１６は、コネクタ７２０Ｃの説明図である。即ち、ＦＰＣ３０の位置決めを行う位置決めガイドは、本体部材２１やコンタクト基部２２に形成されていてもよいし、固定部材２６に形成されていてもよいし、クリップ部材３６に形成されていてもよい。こうしても、ＦＰＣ３０を位置決めすることができる。
【００４０】
また、上述した実施形態では、コンタクト２３は平バネであるものとしたが、導電性と可撓性を有するものであれば、特にこれに限定されずに用いることができる。コンタクト基部２２がＦＰＣ３０と基板１０との間に形成されているものとしたが、特にこれに限定されず、どの位置に配置されてもよい。また、上述した実施形態では、固定部材２６がＦＰＣ３０側から押圧するものとしたが、ＦＰＣ３０とコンタクト２３と基板１０とが接触するように押圧するものとすれば、特にこれに限定されず、いずれの部材をいずれの方向に押圧するものとしてもよい。
【００４１】
なお、上述した実施形態のいずれかの態様をそれぞれ適宜組み合わせるものとしてもよい。
【符号の説明】
【００４２】
１０  基板、１２  基板側接点、１４  係止孔、１５  挿入孔、１６  装着溝、２０，１２０，２２０，３２０，４２０，５２０，６２０，６２０Ｂ，７２０，７２０Ｂ，７２０Ｃ  コネクタ、２１  本体部材、２１ａ  立壁部、２１ｂ  貫通孔、２２  コンタクト基部、２３  コンタクト、２３ａ  固定端、２３ｂ  自由端、２３ｃ  接触部、２４  位置決めガイド、２４ａ  側面ガイド、２４ｂ  下面ガイド、２５  位置決めピン、２６  固定部材、２６ａ  側面、２６ｂ  挿入孔、２６ｃ  装着溝、２７  回動軸、２８  押さえ部、２９，３１４  係止爪、３０，４３０  フレキシブルプリント基板（ＦＰＣ）、３２  ケーブル側接点、３４  貫通孔、３６，３６Ｃ  クリップ部材、３６Ｂ  クリップ部、３６ａ  側面、３７  先端、１２５  第２位置決めピン、１３４  第２貫通孔、２２２，２２９  押圧部、３２９  止め部材、４２５  凸状部、４３４  切欠部。
【図１】
2010161068.tif 000003
【図２】
2010161068.tif 000004
【図３】
2010161068.tif 000005
【図４】
2010161068.tif 000006
【図５】
2010161068.tif 000007
【図６】
2010161068.tif 000008
【図７】
2010161068.tif 000009
【図８】
2010161068.tif 000010
【図９】
2010161068.tif 000011
【図１０】
2010161068.tif 000012
【図１１】
2010161068.tif 000013
【図１２】
2010161068.tif 000014
【図１３】
2010161068.tif 000015
【図１４】
2010161068.tif 000016
【図１５】
2010161068.tif 000017
【図１６】
2010161068.tif 000018